(57)【要約】【課題】化粧ケースの上面に設置された操作つまみの移動を、化粧ケースの下面に設置されたスライド式電子部品の摺動型物の移動に簡単な構成で容易且つスムーズに変換できる操作つまみ付きの電子部品を提供する。【解決手段】操作つまみ２１０と一体に移動する電子部品駆動体１７０から突出する駆動軸１７７を、摺動型物８０に設けた軸挿入溝８１に挿入してこの駆動軸１７７によって摺動型物８０を移動させる。駆動軸１７７は円弧状のスライド移動方向Ｂに移動し、摺動型物８０は直線状のスライド移動方向Ｃに移動する。【選択図】図７
2009021406.tif 000002
【特許請求の範囲】
【請求項１】
主ケースと、
前記主ケースの一方の面側に設置されて移動を行う操作つまみと、
前記主ケースの他方の面側に設置されるスライド式電子部品と、を具備し、
前記スライド式電子部品は、収納ケース内に前記操作つまみによって操作される移動体及び移動体の移動によって電気的出力を変化する電気的機能部を設置して構成され、
前記操作つまみから突出する駆動軸又は前記主ケースとスライド式電子部品の間に設置されて前記操作つまみと一体に移動する電子部品駆動体から突出する駆動軸を、前記移動体に設けた軸挿入溝に挿入してこの駆動軸によって前記移動体を移動させることを特徴とする電子部品。
【請求項２】
前記軸挿入溝は、移動体の移動方向に交叉する方向に延びていて、前記移動する駆動軸がこの軸挿入溝内をスライド移動することを特徴とする請求項１に記載の電子部品。
【請求項３】
前記軸挿入溝は、前記収納ケースの前記主ケースに対向する側の面に設けた開口内に露出し、前記駆動軸はこの収納ケースの開口を介して軸挿入溝に挿入されることを特徴とする請求項１又は２に記載の電子部品。
【請求項４】
前記軸挿入溝は、前記移動体の側面から収納ケースの側面に設けた開口部を介して収納ケースの外部に突出する溝形成用基部に設けられていることを特徴とする請求項１又は２に記載の電子部品。
【請求項５】
前記電子部品駆動体は、前記主ケースに設けた挿通穴を介して前記操作つまみに結合されることで、操作つまみの抜け防止機能を兼用することを特徴とする請求項１又は２又は３又は４に記載の電子部品。
【発明の詳細な説明】
【技術分野】
【０００１】
本発明は、直線状あるいは曲線状に移動する操作つまみによってスムーズにスライド式電子部品を操作することができる操作つまみ付きの電子部品に関するものである。
【背景技術】
【０００２】
従来、例えば直線状に移動する摺動型物を内蔵するスライド式電子部品の上に化粧ケースを設置し、さらにこの化粧ケース上に操作つまみを設置し、この操作つまみによって前記スライド式電子部品の摺動型物を操作する構造の電子部品がある。そしてこの種の電子部品の中には、操作つまみを直線状ではなく、曲線状に移動させる場合がある。このような場合、曲線状に移動する操作つまみの動きを、直線状に移動する摺動型物の動きに変換する必要がある。
【０００３】
曲線状に移動する操作つまみの動きを直線状に移動するスライド式電子部品の摺動型物の動きに変換する従来例として、例えば特許文献１に示す構造のシーソー操作型可変抵抗器がある。このシーソー操作型可変抵抗器においては、シーソー状に揺動する操作つまみ（２１）にその支持点下方に延びるアーム部（２４）を設け、スライド式可変抵抗器（２９）内に収納した摺動型物（３０）からケースの外方に突出させた操作レバー（３１）に前記アーム部（２４）の先端に設けたＵ字溝（２５）を係合し、Ｕ字溝（２５）内で操作レバー（３１）を移動させることで、揺動する操作つまみ（２１）の動きを直線的な摺動型物（３０）の動きに変換している。
【０００４】
しかしながら上記従来の電子部品は、シーソー状に揺動する操作つまみの運動を直線運動に変換する構成であり、シーソー状以外の方向に向かって移動する操作つまみの運動を直線的な摺動型物の動きに変換する機構ではなかった。例えば、外装ケースの上面に沿って曲線移動する操作つまみの動きを、外装ケースの下面側に設置したスライド式電子部品の直線運動に変換する簡単な構造のものはなかった。
【特許文献１】特開平５−３４３２１１号公報
【発明の開示】
【発明が解決しようとする課題】
【０００５】
本発明は上述の点に鑑みてなされたものでありその目的は、外装ケース等の主ケースの一方の面側に設置された操作つまみの移動を、主ケースの他方の面側に設置されたスライド式電子部品の移動体（摺動型物）の移動に簡単な構成で容易且つスムーズに変換できる操作つまみ付きの電子部品を提供することにある。
【課題を解決するための手段】
【０００６】
本願請求項１に記載の発明は、主ケースと、前記主ケースの一方の面側に設置されて移動を行う操作つまみと、前記主ケースの他方の面側に設置されるスライド式電子部品と、を具備し、前記スライド式電子部品は、収納ケース内に前記操作つまみによって操作される移動体及び移動体の移動によって電気的出力を変化する電気的機能部を設置して構成され、前記操作つまみから突出する駆動軸又は前記主ケースとスライド式電子部品の間に設置されて前記操作つまみと一体に移動する電子部品駆動体から突出する駆動軸を、前記移動体に設けた軸挿入溝に挿入してこの駆動軸によって前記移動体を移動させることを特徴とする電子部品にある。
【０００７】
本願請求項２に記載の発明は、前記軸挿入溝は、移動体の移動方向に交叉する方向に延びていて、前記移動する駆動軸がこの軸挿入溝内をスライド移動することを特徴とする請求項１に記載の電子部品にある。
【０００８】
本願請求項３に記載の発明は、前記軸挿入溝は、前記収納ケースの前記主ケースに対向する側の面に設けた開口内に露出し、前記駆動軸はこの収納ケースの開口を介して軸挿入溝に挿入されることを特徴とする請求項１又は２に記載の電子部品にある。
【０００９】
本願請求項４に記載の発明は、前記軸挿入溝は、前記移動体の側面から収納ケースの側面に設けた開口部を介して収納ケースの外部に突出する溝形成用基部に設けられていることを特徴とする請求項１又は２に記載の電子部品にある。
【００１０】
本願請求項５に記載の発明は、前記電子部品駆動体は、前記主ケースに設けた挿通穴を介して前記操作つまみに結合されることで、操作つまみの抜け防止機能を兼用することを特徴とする請求項１又は２又は３又は４に記載の電子部品にある。
【発明の効果】
【００１１】
請求項１に記載の発明によれば、操作つまみ又は電子部品駆動体から突出する駆動軸を、移動体に設けた軸挿入溝に挿入することで移動体を移動させるので、外装ケース等の主ケースの一方の面側に設置される操作つまみの移動を、主ケースの他方の面側に設置されるスライド式電子部品の移動体の移動に容易且つスムーズに簡単な構成で変換することができる。
【００１２】
請求項２に記載の発明によれば、駆動軸が移動体に設けた軸挿入溝内をスライド移動することで、操作つまみの移動を、容易且つスムーズに簡単な構成で、スライド式電子部品の移動体の移動（前記操作つまみとは異なる方向への移動）に変換することができる。
【００１３】
請求項３に記載の発明によれば、軸挿入溝と駆動軸との係合が、収納ケースに設けた開口を介して直接行うことができるので、別途両者係合のための設置場所を取らず、この電子部品の小型化・薄型化が容易に図られる。
【００１４】
請求項４に記載の発明によれば、収納ケース内に収納される移動体の部分に軸挿入溝を設ける必要がないので、移動体の厚みを薄くしても強度上問題は生じず、容易に移動体の薄型化が図れ、この電子部品の薄型化が図れる。
【００１５】
請求項５に記載の発明によれば、電子部品駆動体に、移動体の駆動機能と、操作つまみの抜け防止機能とを兼用させることができる。
【発明を実施するための最良の形態】
【００１６】
以下、本発明の実施形態を図面を参照して詳細に説明する。
図１は本発明を用いて構成される複合型電子部品５００を示す斜視図である。同図に示すように複合型電子部品５００は、主ケース（以下「化粧ケース」という）５０の中央に一対の押圧式電子部品５５０，６００を設置し、これら押圧型電子部品５５０，６００の外周部分の１８０°対向する位置に本発明の第１実施形態にかかる電子部品（以下「第１電子部品」という）１−１と第２実施形態にかかる電子部品（以下「第２電子部品」という）１−２とを設置し、さらに押圧式電子部品５５０，６００の外周部分の第１，第２電子部品１−１，１−２の間の位置に一対の押圧式電子部品６５０，７００を設置して構成されている。なお以下の説明において、「上」又は「上側」とは、化粧ケース５０から見て下記する操作つまみ２１０，４１０を向く側をいい、「下」又は「下側」とは、化粧ケース５０から見て下記する回路基板３０を向く側をいうものとする。
【００１７】
図２〜図５は前記複合型電子部品５００の内の第１，第２電子部品１−１，１−２の部分の分解斜視図（即ち押圧式電子部品５５０，６００，６５０，７００の部分の記載は省略）であり、図２は上側部分の部品を上側から見た分解斜視図、図３は下側部分の部品を上側から見た分解斜視図、図４は上側部分の部品を下側から見た分解斜視図、図５は下側部分の部品を下側から見た分解斜視図である。また図６は化粧ケース５０を下側から見た斜視図である。但し図６においては、化粧ケース５０の下面内部の構成を明確に示すため、その外周側壁の下部を全周にわたって切り欠いている。
【００１８】
これらの図に示すように、複合型電子部品５００（第１，第２電子部品１−１，１−２の部分）は、第１，第２電子部品１−１，１−２に共通する取付部材（以下「取付板」という）１０と回路基板（以下「フレキシブル回路基板」という）３０と化粧ケース５０に対して、第１，第２電子部品１−１，１−２を構成するそれぞれの部品を組み付けて構成されている。
【００１９】
即ち第１電子部品１−１は、取付板１０上に、フレキシブル回路基板３０と、電気的機能部の一部である摺動子１００及び自動復帰機構１２０を取り付けた移動体（以下「摺動型物」という）８０と、収納ケース１４０と、電子部品駆動体１７０と、化粧ケース５０と、スペーサ部材（以下「スペーサ板」という）１９０と、操作つまみ２１０とを設置して構成されている。一方第２電子部品１−２は、取付部材１０上に、フレキシブル回路基板３０と、電気的機能部の一部である摺動子３００を取り付けた移動体（以下「摺動型物」という）２８０と、収納ケース３４０と、電子部品駆動体３７０と、化粧ケース５０と、スペーサ部材（以下「スペーサ板」という）３９０と、操作つまみ４１０とを設置して構成されている。また上記第１電子部品１−１において、取付部材１０と、フレキシブル回路基板３０と、摺動子１００及び自動復帰機構１２０を取り付けた摺動型物８０と、収納ケース１４０とによってスライド式電子部品Ａ１が構成され、第２電子部品１−２において、取付部材１０と、フレキシブル回路基板３０と、摺動子３００を取り付けた摺動型物２８０と、収納ケース３４０とによってスライド式電子部品Ａ２が構成されている。なお操作つまみ２１０，４１０はそれぞれ図１の円弧状の矢印Ｂ，Ｃ方向に移動する回転つまみである。以下各構成部品について説明する。
【００２０】
取付板１０は金属板製（例えばステンレス板製）であり、化粧ケース５０の下面を略覆う外形形状（略円板形状）に形成されている。取付板１０の所定位置には下記する収納ケース１４０の係止片１４５を挿入する複数（４つ）の孔及び切り欠きからなる収納ケース取付部１１と、収納ケース３４０の係止片３４７を挿入する複数（４つ）の孔からなる収納ケース取付部１３と、化粧ケース５０の取付部６５を挿入する４つの孔からなる化粧ケース取付部１５とが設けられている。なお取付板１０の材質は他の金属でも良く、また硬質の合成樹脂であっても良い。また必ずしも板状でなくても良い。
【００２１】
フレキシブル回路基板３０は可撓性を有する合成樹脂フイルム３１上に、摺動子１００が摺接する電気的機能部の一部である摺接パターン３３と、摺動子３００が摺接する電気的機能部の一部である摺接パターン３５とを設け、また前記取付板１０の収納ケース取付部１１と収納ケース取付部１３と化粧ケース取付部１５に対向する位置にそれぞれ孔又は切り欠きからなる収納ケース取付部３７と収納ケース取付部３９と化粧ケース取付部４１とを設けて構成されている。なお合成樹脂フイルム３１上には図示はしないが上記パターン以外にも各種の回路パターンが形成されており、これらパターンはフレキシブル回路基板３０の外周に接続される引出部４３から外部に引き出されている。引出部４３は図示しない外部の電気回路に接続される。可撓性のある合成樹脂フイルム３１としてこの実施形態ではポリエチレンテレフタレート（ＰＥＴ）フイルムを用いているが、他の熱可塑性，熱硬化性，光硬化性の合成樹脂フイルム、例えばポリフェニレンスルフイド（ＰＰＳ）フイルム、ポリイミド（ＰＩ）フィルム、ポリエチレンナフタレート（ＰＥＮ）フイルム、ポリエーテルイミド（ＰＥＩ）フイルム、ポリエーテルエーテルケトン（ＰＥＥＫ）フイルム、ポリエーテルケトン（ＰＥＫ）フイルム、ポリカーボネート（ＰＣ）フイルム、ポリブチレンナフタレート（ＰＢＮ）フイルム、ポリブチレンテレフタレート（ＰＢＴ）フイルム等を用いても良い。
【００２２】
化粧ケース５０は合成樹脂を略円形に成形して構成されており、その上面の前記図１に示す押圧式電子部品５５０，６００と押圧式電子部品６５０，７００を設置する位置にこれらを設置する１つの開口部５１を設け、また化粧ケース５０の第１電子部品１−１と第２電子部品１−２とをそれぞれ設置する位置に上下に貫通する挿通穴５３，５５を設けて構成されている。両挿通穴５３，５５は、何れも略矩形状で長手方向に向かって円弧状に湾曲した形状となっており、その上面の長手方向に向かう両側辺に沿う位置には、一対ずつのレール状の凸部からなる突起部５７，５９が設けられている。化粧ケース５０の下面側は略円形で凹状の電子部品収納部６１となっており、化粧ケース５０の下面の前記取付板１０の化粧ケース取付部１５に対向する位置には下方向に向かって支柱６３が突設され、各支柱６３の先端には前記各化粧ケース取付部１５に挿入される小突起状の取付部６５が設けられている。化粧ケース５０の両挿通穴５３，５５の下面側の長手方向の両側部には、板状部分を突出する等して側壁部６７ａ，６９ａがそれぞれ設けられ、これら側壁部６７ａ，６７ａ，６９ａ，６９ａの間に凹状の駆動体収納ガイド部６７，６９を形成している。これら駆動体収納ガイド部６７，６９は、電子部品駆動体１７０，３７０を円弧状のスライド移動方向Ｂ，Ｃ（図１参照）にスライド移動するように収納する形状（即ち化粧ケース５０の外周に沿うような円弧形状）に形成されている。
【００２３】
摺動型物８０は合成樹脂を略矩形状に成形して構成されており、その上面中央にこれを横切る方向（摺動型物８０の直線状のスライド移動方向Ａに直交する方向）に向かう凹状（矩形状，直線状）の溝からなる軸挿入溝８１を設け、またその上面の一側部に摺動型物８０のスライド移動方向Ａに向かう直線状の弾発部材収納溝８３を設け、一方その下面の略中央に下方向に突出する小突起からなる４つの摺動子取付部８５を設けて構成されている。弾発部材収納溝８３の両端には、上端辺から切り欠かれるスリット状の凹部からなる当接部挿入部８７が設けられている。弾発部材収納溝８３は下記する圧縮コイルバネ１２１をちょうど収納する寸法に形成されている。当接部挿入部８７のスリットの幅は、弾発部材収納溝８３の同一方向の幅よりも小さい幅であり、下記する圧縮コイルバネ１２１の外径よりも小さくてこれを通さず、下記する収納ケース１４０の当接部１４３を挿入できる幅に形成されている。
【００２４】
摺動子１００は弾性金属板製であり、略矩形状の基部１０１の１外周辺から三本の摺動冊子１０３を突出し、これら摺動冊子１０３をその根元部分で基部１０１の下面側に折り返して構成されている。基部１０１には、前記摺動型物８０の各摺動子取付部８５を挿入する小孔からなる挿入部１０５が設けられている。
【００２５】
自動復帰機構１２０は圧縮コイルバネ１２１の両端に消音用バネ座１２３を取り付けて構成されている。圧縮コイルバネ１２１はその外径が前記摺動型物８０の弾発部材収納溝８３に収納できる寸法に形成されている。消音用バネ座１２３は弾性材（例えばシリコンゴムなどのゴム状弾性材）を成形することによって構成されており、前記圧縮コイルバネ１２１の両端の内径部分に挿入されるバネ挿入部１２５と、バネ挿入部１２５の端部に設けられ圧縮コイルバネ１２１の端面に当接するつば部１２７とを具備している。
【００２６】
収納ケース１４０は金属板を下面が開放された箱型に形成して構成されており、その上面の略中央部分にスライド移動方向Ａに向かって延びる矩形状で直線状の開口１４１を設け、また開口１４１の前後両側（収納ケース１４０のスライド移動方向Ａの前後側）に当接部１４３を設け、収納ケース１４０のスライド移動方向Ａに向かって延びる左右両側の下端辺から下方向に向かって一対ずつの舌片状の係止片１４５を突設している。当接部１４３は、収納ケース１４０を切り欠くことで、一端が収納ケース１４０の上面に接続されるとともに他端が収納ケース１４０の側面（スライド移動方向Ａに直交する面）に接続された細帯部１４７を設け、この細帯部１４７を収納ケース１４０内でＬ字状に折り曲げ、この折り曲げた屈曲部分に形成されている。
【００２７】
電子部品駆動体１７０は合成樹脂を略平板の扇形状に成形して構成されており、円弧状に湾曲する一対の対向辺１７１，１７３を有し、これら対向辺１７１，１７３の両端部（４箇所の角部）にそれぞれ設けた円弧状に突出する当接部１７５が前記化粧ケース５０の駆動体収納ガイド部６７の前記側壁部６７ａ，６７ａの面に当接（摺接）してこの電子部品駆動体１７０がスライド移動方向Ｂにスライド移動自在となるように形成されている。電子部品駆動体１７０の下面中央からは円形で柱状の駆動軸１７７が突設しており、また駆動軸１７７の両側には電子部品駆動体１７０の面を上下に貫通する一対の小孔からなる係止部１７９，１７９が設けられている。駆動軸１７７の外径寸法は、前記摺動型物８０の軸挿入溝８１の幅（スライド移動方向Ａの長さ）よりも微少寸法小さく形成され、これによって軸挿入溝８１に挿入される駆動軸１７７がガタツキなく軸挿入溝８１内をスライド移動するように構成されている。
【００２８】
スペーサ板１９０は合成樹脂を略扇形の薄板状に成形して構成されており、化粧ケース５０と操作つまみ２１０の間に挟持されて化粧ケース５０に対して操作つまみ２１０の動きを抵抗なくスムーズに行なわせる（滑りを良くする）ものである。スペーサ板１９０は少なくとも化粧ケース５０の挿通穴５３よりも大きい寸法に形成され、その所定位置（２ヶ所）に矩形状の上下に貫通する係止穴１９１を設けている。
【００２９】
操作つまみ２１０は合成樹脂を略扇形の板状に成形して構成されており、その上面中央に上方向に突出するつまみ部２１１を設け、その下面の前記スペーサ板１９０の一対の係止穴１９１に対向する位置に突起状の取付部２１３を設けている。取付部２１３はその根元部分が前記スペーサ板１９０の係止穴１９１にぴったり嵌合する形状に形成された基部２１３ａとなっており、基部２１３ａの先端側部分が前記電子部品駆動体１７０の係止部１７９にぴったり嵌合してその先端が電子部品駆動体１７０の下面に少し突出する寸法形状に形成された先端部２１３ｂとなっている。
【００３０】
摺動型物２８０は合成樹脂を略矩形状に成形して構成されており、その上面中央にこの摺動型物２８０の直線状のスライド移動方向Ｄに向かう一対の凹部からなるクリック係合部２８１を設け、またその１側辺（スライド移動方向Ｄに沿って延びる１側辺）中央から外方（スライド移動方向Ｄに直交する方向）に向けて溝形成用基部２８３を突設し、溝形成用基部２８３の先端からこれを切り欠くように軸挿入溝２８５を設け、一方その下面の略中央に下方向に突出する小突起からなる２つの摺動子取付部２８７を設けて構成されている。軸挿入溝２８５は溝形成用基部２８３の先端部分を上下に貫通するように切り欠いて形成され、切り欠いて対向する対向面は平行に形成されている。
【００３１】
摺動子３００は弾性金属板製であり、略矩形状の基部３０１の１外周辺から二本の摺動冊子３０３を突出し、これら摺動冊子３０３をその根元部分で基部３０１の下面側に折り返して構成されている。基部３０１には、前記摺動型物２８０の各摺動子取付部２８７を挿入する小孔からなる挿入部３０５が設けられている。
【００３２】
収納ケース３４０は金属板を下面が開放された箱型に形成して構成されており、その上面の略中央部分に開口３４１を設け、開口３４１内に略コ字状で両端が開口３４１の内周辺に連結されたクリックアーム部３４３を設置し、クリックアーム部３４３の中央に下方向に凸となるように湾曲変形したクリック弾接部３４５を設け、また収納ケース３４０のスライド移動方向Ｄに向かって延びる左右両側の下端辺から下方向に向かって一対ずつの舌片状の係止片３４７を突設している。また収納ケース３４０のスライド移動方向Ｄに向かって延びる左右両側の側面の内の一方の側面には、その下辺を矩形状に切り欠いてなる開口部３４９が設けられている。
【００３３】
電子部品駆動体３７０は合成樹脂を略平板の扇形状に成形して構成されており、円弧状に湾曲する一対の対向辺３７１，３７３を有し、これら対向辺３７１，３７３の両端部（４箇所の角部）にそれぞれ設けた円弧状に突出する当接部３７５が前記化粧ケース５０の駆動体収納ガイド部６９の前記側壁部６９ａ，６９ａの面に当接（摺接）してこの電子部品駆動体３７０がスライド移動方向Ｃにスライド移動自在となるように形成されている。電子部品駆動体３７０の下面中央からは円形で柱状の駆動軸３７７が突設しており、また駆動軸３７７の両側には電子部品駆動体３７０の面を上下に貫通する一対の小孔からなる係止部３７９，３７９が設けられている。駆動軸３７７の外径寸法は、前記摺動型物２８０の軸挿入溝２８５の幅（スライド移動方向Ｄの長さ）よりも微少寸法小さく形成され、これによって軸挿入溝２８５に挿入される駆動軸３７７がガタツキなく軸挿入溝２８５内をスライド移動するように構成されている。
【００３４】
スペーサ板３９０は合成樹脂を略扇形の薄板状に成形して構成されており、化粧ケース５０と操作つまみ４１０の間に挟持されて化粧ケース５０に対して操作つまみ４１０の動きを抵抗なくスムーズに行なわせる（滑りを良くする）ものである。スペーサ板３９０は少なくとも化粧ケース５０の挿通穴５５よりも大きい寸法に形成され、その所定位置（２ヶ所）に矩形状の上下に貫通する係止穴３９１を設けている。
【００３５】
操作つまみ４１０は合成樹脂を略扇形の板状に成形して構成されており、その上面中央に上方向に突出するつまみ部４１１を設け、その下面の前記スペーサ板３９０の一対の係止穴３９１に対向する位置に突起状の取付部４１３を設けている。取付部４１３はその根元部分が前記スペーサ板３９０の係止穴３９１にぴったり嵌合する形状に形成された基部４１３ａとなっており、基部４１３ａの先端側部分が前記電子部品駆動体３７０の係止部３７９にぴったり嵌合してその先端が電子部品駆動体３７０の下面に少し突出する寸法形状に形成された先端部４１３ｂとなっている。
【００３６】
次に複合型電子部品５００の組立方法を説明する。まず予め摺動型物８０の下面に摺動子１００を設置して摺動型物８０の摺動子取付部８５を摺動子１００の挿入部１０５に挿入し、摺動子取付部８５の先端を熱かしめすることで摺動型物８０に摺動子１００を取り付ける。一方予め摺動型物２８０の下面に摺動子３００を設置して摺動型物２８０の摺動子取付部２８７を摺動子３００の挿入部３０５に挿入し、摺動子取付部２８７の先端を熱かしめすることで摺動型物２８０に摺動子３００を取り付ける。
【００３７】
そしてまず化粧ケース５０の上面の挿通穴５３の上にスペーサ板１９０と操作つまみ２１０とを設置する。このときスペーサ板１９０の一対の係止穴１９１に操作つまみ２１０の一対の取付部２１３を挿入し、その基部２１３ａに嵌合する。同時に化粧ケース５０の上面の挿通穴５５の上にスペーサ板３９０と操作つまみ４１０とを設置する。このときスペーサ板３９０の一対の係止穴３９１に操作つまみ４１０の一対の取付部４１３を挿入し、その基部４１３ａに嵌合する。
【００３８】
次に化粧ケース５０の下面の挿通穴５３の下の駆動体収納ガイド部６７内に電子部品駆動体１７０を収納し、その際電子部品駆動体１７０の各係止部１７９に操作つまみ２１０の取付部２１３の先端部２１３ｂを挿入してその先端を熱かしめする。これによって操作つまみ２１０は化粧ケース５０を挟んで電子部品駆動体１７０と一体になる。また電子部品駆動体１７０は駆動体収納ガイド部６７内に収納されてその両側壁部６７ａ，６７ａの面に電子部品駆動体１７０の当接部１７５が当接（摺接）する。従って電子部品駆動体１７０は、駆動体収納ガイド部６７の両側壁部６７ａ，６７ａの面に摺接しながら駆動体収納ガイド部６７内を円弧状の方向（矢印Ｂ方向）にスライド移動し、これと一体の操作つまみ２１０も同一の円弧状の方向（矢印Ｂ方向）にスライド移動する。
【００３９】
次に化粧ケース５０の下面の挿通穴５５の下の駆動体収納ガイド部６９内に電子部品駆動体３７０を収納し、その際電子部品駆動体３７０の各係止部３７９に操作つまみ４１０の取付部４１３の先端部４１３ｂを挿入してその先端を熱かしめする。これによって操作つまみ４１０は化粧ケース５０を挟んで電子部品駆動体３７０と一体になる。また電子部品駆動体３７０は駆動体収納ガイド部６９内に収納されてその両側壁部６９ａ，６９ａの面に電子部品駆動体３７０の当接部３７５が当接（摺接）する。従って電子部品駆動体３７０は、駆動体収納ガイド部６９の両側壁部６９ａ，６９ａの面に摺接しながら駆動体収納ガイド部６９内を円弧状の方向（矢印Ｃ方向）にスライド移動し、これと一体の操作つまみ４１０も同一の円弧状の方向（矢印Ｃ方向）にスライド移動する。
【００４０】
一方取付板１０上にフレキシブル回路基板３０を載置する。次に圧縮コイルバネ１２１の両端に消音用バネ座１２３のバネ挿入部１２５を挿入した自動復帰機構１２０を、その両消音用バネ座１２３間を圧縮しながら前記摺動子１００を取り付けた摺動型物８０の弾発部材収納溝８３内に収納する。次にこの摺動型物８０を収納ケース１４０の下面側の凹部（摺動型物収納部１４９）内に収納し、その際摺動型物８０の当接部挿入部８７内に収納ケース１４０の細帯部１４７を挿入し、その当接部１４３を前記自動復帰機構１２０の両消音用バネ座１２３のつば部１２７の外側面（バネ挿入部１２５を設けた反対側の面）に当接する。なお収納ケース１４０の両当接部１４３間の間隙と、摺動型物８０の弾発部材収納溝８３の長さとは略同一に形成されている。そして摺動型物８０を収納した収納ケース１４０を前記フレキシブル回路基板３０上に載置し、その際収納ケース１４０の各係止片１４５をフレキシブル回路基板３０の各収納ケース取付部３７と取付板１０の各収納ケース取付部１１とに挿入し、各係止片１４５の先端を取付板１０の下面に折り曲げる。このとき収納ケース１４０の開口１４１内に摺動型物８０の軸挿入溝８１が露出する。
【００４１】
次に前記摺動子３００を取り付けた摺動型物２８０を、収納ケース３４０の下面側の凹部（摺動型物収納部３５１）内に収納し、その際摺動型物２８０の溝形成用基部２８３を収納ケース３４０の開口部３４９を通してその外方に突出する。そして摺動型物２８０を収納した収納ケース３４０を前記フレキシブル回路基板３０上に載置し、その際収納ケース３４０の各係止片３４７をフレキシブル回路基板３０の各収納ケース取付部３９と取付板１０の各収納ケース取付部１３とに挿入し、各係止片３４７の先端を取付板１０の下面に折り曲げる。このとき収納ケース３４０のクリック弾接部３４５は摺動型物２８０の上面に弾接する。
【００４２】
そして前記操作つまみ２１０，４１０等を取り付けた化粧ケース５０の下面に、前記収納ケース１４０，３４０等を取り付けたフレキシブル回路基板３０及び取付板１０を設置し、その際化粧ケース５０に設けた各取付部６５をフレキシブル回路基板３０の各化粧ケース取付部４１と取付板１０の各化粧ケース取付部１５とに挿入し、各取付部６５の先端を取付板１０の下面で熱かしめする。これによって化粧ケース５０とフレキシブル回路基板３０及び取付板１０が一体化され、複合型電子部品５００が完成する。なお実際には、この組立の際に、図１に示す押圧式電子部品５５０，６００と押圧式電子部品６５０，７００も同時に組み立てられるが、その説明は省略する。
【００４３】
図７，図８はそれぞれ以上のようにして組み立てられた複合型電子部品５００内における、駆動軸１７７と軸挿入溝８１との係合状態と、駆動軸３７７と軸挿入溝２８５との係合状態とをそれぞれ示す要部拡大斜視図である。即ち図７において、電子部品駆動体１７０の駆動軸１７７は、収納ケース１４０の開口１４１内に露出している摺動型物８０の軸挿入溝８１に挿入されている。また図８において、電子部品駆動体３７０の駆動軸３７７は、収納ケース３４０の側部の開口部３４９から突出する摺動型物２８０の溝形成用基部２８３に設けた軸挿入溝２８５に挿入されている。
【００４４】
そして第１電子部品１−１において、操作つまみ２１０を化粧ケース５０の表面上でスライド移動すれば、操作つまみ２１０と一体に電子部品駆動体１７０が化粧ケース５０の駆動体収納ガイド部６７内を円弧状のスライド移動方向（回転方向）Ｂにスライド移動（回転移動）する。このとき図７に示すように、電子部品駆動体１７０から突出する駆動軸１７７は、摺動型物８０に設けた軸挿入溝８１に挿入されており、軸挿入溝８１は、摺動型物８０の直線状のスライド移動方向Ａに交叉（この実施形態では直交）する直線方向Ｇに延びていて、前記スライド移動方向Ｂに曲線移動（回転移動）する駆動軸１７７がこの軸挿入溝８１内を相対的にスライド移動しながら、摺動型物８０をスムーズにスライド移動方向Ａに直線移動させる。これによって摺動子１００の摺動冊子１０３の先端がフレキシブル回路基板３０の摺接パターン３３上を摺動し、その電気的出力が変化する。なおこのように摺動型物８０がスライド移動した際、自動復帰機構１２０の一方の端部は収納ケース１４０の一方の当接部１４３に当接したまま、自動復帰機構１２０の他方の端部は摺動型物８０の弾発手段収納溝８３の一方の端面（当接部挿入部８７を設けた内側面）に当接して押され、これによって圧縮コイルバネ１２１は圧縮され、摺動型物８０及びこれと連動する操作つまみ２１０及び電子部品駆動体１７０には元の中立位置への弾性復帰力が働く。一方第２電子部品１−２において、操作つまみ４１０を化粧ケース５０の表面上でスライド移動すれば、操作つまみ４１０と一体に電子部品駆動体３７０が化粧ケース５０の駆動体収納ガイド部６９内を円弧状のスライド移動方向（回転方向）Ｃにスライド移動（回転移動）する。このとき図８に示すように、電子部品駆動体３７０から突出する駆動軸３７７は、摺動型物２８０に設けた軸挿入溝２８５に挿入されており、軸挿入溝２８５は、摺動型物２８０の直線状のスライド移動方向Ｄに交叉（この実施形態では直交）する直線方向Ｈに延びていて、前記スライド移動方向Ｃに曲線移動（回転移動）する駆動軸３７７がこの軸挿入溝２８５内を相対的にスライド移動しながら、摺動型物２８０をスムーズにスライド移動方向Ｄに直線移動させる。これによって摺動子３００の摺動冊子３０３の先端がフレキシブル回路基板３０の摺接パターン３５上を摺動し、その電気的出力が変化する。なお摺動型物２８０は、収納ケース３４０内をその両端側に移動することで、収納ケース３４０のクリック弾接部３４５が摺動型物２８０の何れかのクリック係合部２８１に係合し、これらの二ヶ所で係止される。
【００４５】
即ち第１電子部品１−１は、化粧ケース５０と、化粧ケース５０の一方の面側に設置されて移動を行う操作つまみ２１０と、化粧ケース５０の他方の面側に設置されるスライド式電子部品Ａ１とを具備し、スライド式電子部品Ａ１は、収納ケース１４０内に操作つまみ２１０によって操作される摺動型物８０及び摺動型物８０の移動によって摺接パターン３３の電気的出力を変化する摺動子１００を設置して構成され、化粧ケース５０とスライド式電子部品Ａ１の間に設置されて操作つまみ２１０と一体に移動する電子部品駆動体１７０から突出する駆動軸１７７を、摺動型物８０に設けた軸挿入溝８１に挿入して駆動軸１７７によって摺動型物８０を移動させ、さらに軸挿入溝８１を摺動型物８０の移動方向に交叉する方向に延ばすことで、移動する駆動軸１７７が軸挿入溝８１内を相対的にスライド移動するように構成されている。
【００４６】
第１電子部品１−１を以上のように構成すれば、電子部品駆動体１７０から突出する駆動軸１７７を、摺動型物８０に設けた軸挿入溝８１に挿入することで摺動型物８０を移動させるので、化粧ケース５０の一方の面側に設置される操作つまみ２１０の移動を、化粧ケース５０の他方の面側に設置されるスライド式電子部品Ａ１の摺動型物８０の移動に容易且つスムーズに簡単な構成で変換することができる。また第１電子部品１−１によれば、駆動軸１７７が摺動型物８０に設けた軸挿入溝８１内をスライド移動することで、操作つまみ２１０の移動を、容易且つスムーズに簡単な構成で、スライド式電子部品Ａ１の摺動型物８０の移動（前記操作つまみ２１０とは異なる方向への移動）に変換することができる。また第１電子部品１−１によれば、軸挿入溝８１が、収納ケース１４０の化粧ケース５０に対向する側の面に設けた開口１４１内に露出し、駆動軸１７７は収納ケース１４０の開口１４１を介して軸挿入溝８１に挿入されるので、軸挿入溝８１と駆動軸１７７との係合が、収納ケース１４０に設けた開口１４１を介して直接行うことができるので、別途両者係合のための設置場所を取らず、この第１電子部品１−１の小型化・薄型化が容易に図られる。また第１電子部品１−１によれば、電子部品駆動体１７０は、化粧ケース５０に設けた挿通穴５３を介して操作つまみ２１０に結合されることで、操作つまみ２１０の抜け防止機能を兼用している。つまり電子部品駆動体１７０に、摺動型物８０の駆動機能と、操作つまみ２１０の抜け防止機能とを兼用させている。また第１電子部品１−１によれば、操作つまみ２１０の移動曲線が変更されても、スライド式電子部品Ａ１を共用部品として同一のものを使用できる。
【００４７】
次に第２電子部品１−２は、化粧ケース５０と、化粧ケース５０の一方の面側に設置されて移動を行う操作つまみ４１０と、化粧ケース５０の他方の面側に設置されるスライド式電子部品Ａ２とを具備し、スライド式電子部品Ａ２は、収納ケース３４０内に操作つまみ４１０によって操作される摺動型物２８０及び摺動型物２８０の移動によって摺接パターン３５の電気的出力を変化する摺動子３００を設置して構成され、化粧ケース５０とスライド式電子部品Ａ２の間に設置されて操作つまみ４１０と一体に移動する電子部品駆動体３７０から突出する駆動軸３７７を、摺動型物２８０に設けた軸挿入溝２８５に挿入して駆動軸３７７によって摺動型物２８０を移動させ、さらに軸挿入溝２８５を摺動型物２８０の移動方向に交叉する方向に延ばすことで、移動する駆動軸３７７が軸挿入溝２８５内を相対的にスライド移動するように構成されている。
【００４８】
第２電子部品１−２を以上のように構成すれば、電子部品駆動体３７０から突出する駆動軸３７７を、摺動型物２８０に設けた軸挿入溝２８５に挿入することで摺動型物２８０を移動させるので、化粧ケース５０の一方の面側に設置される操作つまみ４１０の移動を、化粧ケース５０の他方の面側に設置されるスライド式電子部品Ａ２の摺動型物２８０の移動に容易且つスムーズに簡単な構成で変換することができる。また第２電子部品１−２によれば、駆動軸３７７が摺動型物２８０に設けた軸挿入溝２８５内をスライド移動することで、操作つまみ４１０の移動を、容易且つスムーズに簡単な構成で、スライド式電子部品Ａ２の摺動型物２８０の移動（前記操作つまみ４１０とは異なる方向への移動）に変換することができる。また第２電子部品１−２によれば、軸挿入溝２８５が、摺動型物２８０の側面から収納ケース３４０の側面に設けた開口部３４９を介して収納ケース３４０の外部に突出する溝形成用基部２８３に設けられているので、溝形成用基部２８３を上下に貫通して軸挿入溝２８５を設けても良く、つまり収納ケース３４０内に収納される摺動型物２８０の部分に軸挿入溝を設ける必要がないので、その分摺動型物２８０の厚みを薄くしても強度上問題なくなり、容易に摺動型物２８０の薄型化が図れ、この第２電子部品１−２の薄型化が図れる（第１電子部品１−１の摺動型物８０の場合、その厚みに対して軸挿入溝８１の深さ寸法を大きくすると、軸挿入溝８１の底部の厚みが薄くなり、強度上問題が生じる場合がある。もちろん軸挿入溝８１を摺動型物８０の上下に貫通させても良い場合もある。）。また第２電子部品１−２の場合も、電子部品駆動体３７０は、化粧ケース５０に設けた挿通穴５５を介して操作つまみ４１０に結合されることで、操作つまみ４１０の抜け防止機能を兼用している。また第２電子部品１−２によれば、操作つまみ４１０の移動曲線が変更されても、スライド式電子部品Ａ２を共用部品として同一のものを使用できる。
【００４９】
図９は本発明の参考例にかかる電子部品１−３を上側から見た要部斜視図、図１０は電子部品１−３の上側部分の部品を上側から見た分解斜視図、図１１は電子部品１−３の下側部分の部品を上側から見た分解斜視図、図１２は電子部品１−３の上側部分の部品を下側から見た分解斜視図、図１３は電子部品１−３の下側部分の部品を下側から見た分解斜視図、図１４は電子部品１−３の側面図である。これらの図に示すように電子部品１−３は、取付部材（以下「取付板」という）６００上に、回路基板（以下「フレキシブル回路基板」という）６３０と、電気的機能部の一部である摺動子６７０及び自動復帰機構６９０を取り付けた移動体（以下「摺動型物」という）７１０と、収納ケース７４０と、電子部品駆動体７７０と、化粧ケース８００と、スペーサ部材８３０と、操作つまみ８６０とを設置して構成されている。なお取付板６００と、フレキシブル回路基板６３０と、摺動子６７０及び自動復帰機構６９０を取り付けた摺動型物７１０と、収納ケース７４０とによってスライド式電子部品Ａ３が構成されている。以下各構成部品について説明する。
【００５０】
取付板６００は金属板製（例えばステンレス板製）であり、その所定位置に下記する収納ケース７４０の係止片７４５を挿入する複数（４つ）の孔からなる収納ケース取付部６０１と、化粧ケース８００の下記する支柱８０５の小穴８０７に対向して位置する４つの孔からなる化粧ケース取付部６０３とが設けられている。なお取付板６００の材質は他の金属でも良く、また硬質の合成樹脂であっても良い。また必ずしも板状でなくても良い。
【００５１】
フレキシブル回路基板６３０は可撓性を有する合成樹脂フイルム６３１上に、摺動子６７０が摺接する電気的機能部の一部である摺接パターン６３３を設け、また前記取付板６００の収納ケース取付部６０１と化粧ケース取付部６０３に対向する位置にそれぞれ孔からなる収納ケース取付部６３３と化粧ケース取付部６３５とを設けて構成されている。なお合成樹脂フイルム６３１上には図示はしないが上記パターン以外にも各種の回路パターンが形成されている。可撓性のある合成樹脂フイルム６３１の材質は、上記合成樹脂フイルム３１の材質と同じである。
【００５２】
化粧ケース８００は合成樹脂を操作つまみ８６０のスライド移動方向（図９に示す矢印Ｅ方向）に向かって上方向に凸の円弧となる方向に湾曲する湾曲面形状に形成されている。そしてその上面には操作つまみ８６０をそのスライド移動方向Ｅにスライド移動させるようにガイドする凹状の収納部８０１が設けられ、収納部８０１の内部に上下に貫通する挿通穴８０３が設けられている。収納部８０１及び挿通穴８０３は何れも略矩形状で、化粧ケース８００の上面の形状と合わせて長手方向に向かって上方向に凸の円弧状に湾曲した形状となっている。化粧ケース８００の下面の前記収納部８０１に対向する位置には収納部８０１を形成するための突部８０２が設けられ、この突部８０２を含む化粧ケース８００の下面全体も化粧ケース８００の上面の形状と合わせて長手方向に向かって上方向に凸の円弧状に湾曲した形状となっており、また化粧ケース８００の下面の前記取付板６００の化粧ケース取付部６０３に対向する位置に下方向に向かって支柱８０５を突設し、各支柱８０５の先端面に小穴８０７を設けている。
【００５３】
摺動型物７１０は合成樹脂を略矩形状に成形して構成されており、その上面の一側部に摺動型物７１０のスライド移動方向Ｆに向かう直線状の弾発部材収納溝７１１を設け、一方その下面の略中央に下方向に突出する小突起からなる摺動子取付部７１３を設け、また摺動型物７１０の一側面（摺動型物７１０のスライド移動方向Ｆに向かう左右両側辺の内の一方の側面）から駆動軸基部７１５を突出し、駆動軸基部７１５の先端に円柱状の駆動軸７１７を設けて構成されている。弾発部材収納溝７１１の両端には、上端辺から切り欠かれるスリット状の凹部からなる当接部挿入部７１９が設けられている。弾発部材収納溝７１１は下記する圧縮コイルバネ６９１をちょうど収納する寸法に形成されている。当接部挿入部７１９のスリットの幅は、弾発部材収納溝７１１の同一方向の幅よりも小さい幅であり、下記する圧縮コイルバネ６９１の外径よりも小さくてこれを通さず、下記する収納ケース７４０の当接部７４３を挿入できる幅に形成されている。
【００５４】
摺動子６７０は弾性金属板製であり、略矩形状の基部６７１の１外周辺から二本の摺動冊子６７３を突出し、これら摺動冊子６７３をその根元部分で基部６７１の下面側に折り返して構成されている。基部６７１には、前記摺動型物７１０の摺動子取付部７１３を挿入する小孔からなる挿入部が設けられており、図１３に示すようにこの挿入部に摺動子取付部７１３を挿入してその先端を熱かしめすることで、摺動子６７０は摺動型物７１０の下面に取り付けられる。
【００５５】
自動復帰機構６９０は、前記自動復帰機構１２０の圧縮コイルバネ１２１及び消音用バネ座１２３と同一の圧縮コイルバネ６９１及び消音用バネ座６９３なので、その説明を省略する。
【００５６】
収納ケース７４０は金属板を下面が開放された箱型に形成して構成されており、その上面の略中央部分にスライド移動方向Ｆに向かって延びる矩形状で直線状の開口７４１を設け、また開口７４１の前後両側（収納ケース７４０のスライド移動方向Ｆの前後側）に当接部７４３を設け、収納ケース７４０のスライド移動方向Ｆに向かって延びる左右両側の下端辺から下方向に向かって一対ずつの舌片状の係止片７４５を突設し、またその一側面（スライド移動方向Ｆに向かう左右両側辺の内の一方の側面）の下端辺に矩形状の切り欠きからなる駆動軸挿通部７４７を設けて構成されている。当接部７４３は、収納ケース７４０を切り欠くことで、一端が収納ケース７４０の上面に接続されるとともに他端が収納ケース７４０の側面（スライド移動方向Ｆに直交する面）に接続された細帯部７４９を設け、この細帯部７４９を収納ケース７４０内でＬ字状に折り曲げ、この折り曲げた屈曲部分に形成されている。
【００５７】
電子部品駆動体７７０は合成樹脂を略平板矩形状に成形して構成されており、その上面は前記化粧ケース８００の下面の形状に合わせてスライド移動方向Ｅに向かって上方向に凸となる円弧状に形成されている。またその両側辺（スライド移動方向Ｅに向かって左右両側の辺）には上方向に向かって突出する帯状の側壁部７７１が設けられている。また電子部品駆動体７７０の中央には一対の上下に貫通する小孔からなる取付孔７７３が設けられ、また電子部品駆動体７７０の下面の中央にはスライド移動方向Ｅに向かって２つ並べた板状の突出部７７５を設け、これら突出部７７５の間に凹状の軸挿入溝７７７を設けている。軸挿入溝７７７は両突出部７７５の対向する内側の辺を平行にすることで前記摺動型物７１０の円柱状の駆動軸７１７を回動自在にぴったり係合するように、その幅を駆動軸７１７の直径よりも若干大きく形成し、これによって軸挿入溝７７７に駆動軸７１７がガタツキなく挿入されるように構成されている。
【００５８】
スペーサ部材８３０は合成樹脂を略平板矩形状に成形して構成されており、その全体を前記化粧ケース８００の上面の形状に合わせてスライド移動方向Ｅに向かって上方向に凸となる円弧状に形成している。またスペーサ部材８３０の二ヶ所には上下に貫通する貫通孔８３１が設けられ、またスペーサ部材８３０の下面には２本の前記電子部品駆動体７７０の取付孔７７３に挿入される取付突起８３３が設けられている。
【００５９】
操作つまみ８６０は合成樹脂を略矩形状で下面を開放した箱型に形成され、その全体を前記化粧ケース８０の上面の形状に合わせてスライド移動方向Ｅに向かって上方向に凸となる円弧状に形成されている。操作つまみ８６０下面の凹部８６１内には前記スペーサ部材８３０が収納される。操作つまみ８６０の凹部８６１の底面からは、前記スペーサ部材８３０の各貫通孔８３１に挿入される一対の取付突部８６３が突設されている。
【００６０】
次に電子部品１−３の組立方法を説明する。まず操作つまみ８６０の凹部８６１内にスペーサ部材８３０を収納し、その際操作つまみ８６０の取付突部８６３をスペーサ部材８３０の貫通孔８３１に挿入してその先端を熱かしめする。次にスペーサ部材８３０を一体化した操作つまみ８６０を化粧ケース８００の収納部８０１内に収納し、一方化粧ケース８００の下面に電子部品駆動体７７０を設置し、このときスペーサ部材８３０の各取付突起８３３を電子部品駆動体７７０の取付孔７７３に挿入し、各取付突起８３３の先端を電子部品駆動体７７０の下面で熱かしめする。これによって操作つまみ８６０及びスペーサ部材８３０と電子部品駆動体７７０は化粧ケース８００を挟んでその上下で一体化され、同時に化粧ケース８００の湾曲方向（スライド移動方向Ｅ）に向けてスライド自在となる。
【００６１】
一方取付板６００上にフレキシブル回路基板６３０を載置する。次に圧縮コイルバネ６９１の両端に消音用バネ座６９３を取り付けた自動復帰機構６９０を、その両消音用バネ座６９３間を圧縮しながら前記摺動子６７０を取り付けた摺動型物７１０の弾発部材収納溝７１１内に収納する。次にこの摺動型物７１０を収納ケース７４０の下面側の凹部内に収納し、その際摺動型物７１０の当接部挿入部７１９内に収納ケース７４０の細帯部７４９を挿入し、その当接部７４３を前記自動復帰機構６９０の両消音用バネ座６９３の外側面に当接する。なお収納ケース７４０の両当接部７４３間の間隙と、摺動型物７１０の弾発部材収納溝７１１の長さとは略同一に形成されている。そして摺動型物７１０を収納した収納ケース７４０を前記フレキシブル回路基板６３０上に載置し、その際収納ケース７４０の各係止片７４５をフレキシブル回路基板６３０の各収納ケース取付部６３３と取付板６００の各収納ケース取付部６０１とに挿入し、各係止片７４５の先端を取付板６００の下面に折り曲げる。このとき収納ケース７４０の駆動軸挿通部７４７から摺動型物７１０の駆動軸基部７１５が突出する。
【００６２】
そして前記操作つまみ８６０等を取り付けた化粧ケース８００の下面に、前記収納ケース７４０等を取り付けたフレキシブル回路基板６３０及び取付板６００を設置し、その際化粧ケース８００に設けた各小穴８０７とフレキシブル回路基板６３０の各化粧ケース取付部６３５と取付板６００の各化粧ケース取付部６０３との位置を合わせ、取付板６００の下面から図示しないビスを各化粧ケース取付部６０３に挿入して各小穴８０７にねじ込み、これによって化粧ケース８００とフレキシブル回路基板６３０及び取付板６００を一体化し、電子部品１−３を完成する。このとき図１４に示すように、摺動型物７１０から突出する駆動軸７１７は電子部品駆動体７７０に設けた軸挿入溝７７７に挿入されている。
【００６３】
そして操作つまみ８６０を化粧ケース８００の表面上でスライド移動すれば、操作つまみ８６０と一体に電子部品駆動体７７０が化粧ケース８００の湾曲面に沿って上方向に凸となるように円弧状にスライド移動方向Ｅにスライド移動する。このとき前述のように、駆動軸７１７は軸挿入溝７７７に挿入されているが、駆動軸７１７は円柱形状で、軸挿入溝７７７はその両側辺が平行なので、駆動軸７１７は相対的に軸挿入溝７７７内を回転しながら上下動し、これによって曲線移動する操作つまみ８６０の動きを、直線移動する摺動型物７１０の動きにスムーズに変換させることができる。これによって摺動子６７０の摺動冊子６７３の先端がフレキシブル回路基板６３０の摺接パターン６３３上を摺動し、その電気的出力が変化する。なお摺動型物７１０がスライド移動した際、自動復帰機構６９０によって元の中立位置への弾性復帰力が働くことは前記第１電子部品１−１と同様である。
【００６４】
即ち第３電子部品１−３によれば、化粧ケース８００の一方の面側に設置される操作つまみ８６０の移動を、化粧ケース８００の他方の面側に設置されるスライド式電子部品Ａ３の摺動型物７１０の移動（前記操作つまみ８６０とは異なる方向への移動）に容易且つスムーズに簡単な構成で変換することができる。
【００６５】
なお上記第１，第２，第３電子部品１−１，１−２，１−３を構成する合成樹脂成形品製の各部材の材質としては、必要に応じて種々の材質のものを用いれば良く、例えば熱可塑性のＰＢＴ樹脂やＰＯＭ樹脂やＡＢＳ樹脂やポリカーボネート樹脂やアクリル樹脂やＰＭＭＡ樹脂等を用いればよい。
【００６６】
ところで例えば図１４に示す第３電子部品１−３において、操作つまみ８６０及びスペーサ部材８３０及び電子部品駆動体７７０の一体品と化粧ケース８００との間や、駆動軸７１７と軸挿入溝７７７との間には、これら各部品間の良好な摺動性を確保するため、微細な隙間を持たせる必要がある。しかしながらこのため、操作つまみ８６０が中立位置にあるときにがたつきが生じ、振動等によってカタカタとがたつき音が生じる恐れがある。そこでこのがたつき音を防止するため、以下の二つの音防止構造を作製した。図１５は第３電子部品１−３を変形して音防止対策を施した第３電子部品１−３Ａ（その上側部分のみ）を示す概略断面斜視図、図１６は新たに追加した音防止用の板バネ９００の斜視図である。これらの図に示すように板バネ９００は、略矩形平板状のバネ弾性を有する金属製の板であって、前記スペーサ部材８３０の一対の取付突起８３３を挿入する小孔からなる一対の取付部９０１を設け、また板バネ９００の両端近傍部分を弾発部９０３として構成されている。そしてスペーサ部材８３０を一体化した操作つまみ８６０を化粧ケース８００の収納部８０１内に収納し、一方化粧ケース８００の下面に前記板バネ９００を介して電子部品駆動体７７０を設置し、このときスペーサ部材８３０の各取付突起８３３を板バネ９００の取付部９０１と電子部品駆動体７００の取付孔７７３に挿入し、各取付突起８３３の先端を電子部品駆動体７７０の下面で熱かしめする。なおその他の部分の組み立て方法は前記第３電子部品１−３の場合と同一である。これによって図１５に示すように、板バネ９００の両弾発部９０３が化粧ケース８００の下面を弾発し、操作つまみ８６０及びスペーサ部材８３０は化粧ケース８００側に押し付けられ、その抵抗によって操作つまみ８６０及びスペーサ部材８３０及び電子部品駆動体７７０によるがたつき音は確実に防止される。
【００６７】
図１７は第３電子部品１−３を変形して音防止対策を施した第３電子部品１−３Ｂを示す概略側面図、図１８は新たに追加した音防止用の弾性体９５０の斜視図である。これらの図に示すように弾性体９５０は、発泡性の弾性体（例えばスポンジ状のもの、商品名ナンネックス・ポロン等）を略矩形状でその両側に上下方向に向かう溝９５１を設けて構成されている。そしてこの弾性体９５０を図１７に示すように、電子部品駆動体７７０の軸挿入溝７７７に挿入した上で（このとき弾性体９５０の溝９５１が突出部７７５に係合する）、この軸挿入溝７７７に駆動軸７１７を挿入する。これによって駆動軸７１７に対して電子部品駆動体７７０が押上げられて化粧ケース８００の下面に押し付けられ、その抵抗によって電子部品駆動体７７０及びこれと一体化されている操作つまみ８６０やスペーサ部材８３０によるがたつき音を確実に防止することができる。
【００６８】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記複合型電子部品５００においては主ケースとして化粧ケース５０、即ち外装ケースを用いたが、外装ケースでなくてもよく、他の外装ケースの内部（内側）に設置する別のケースを主ケースとしても良い。また上記操作つまみ２１０，４１０のスライド移動方向は矢印Ｂ，Ｃで示す円弧方向としたが、円弧以外の各種曲線方向に移動するものであっても良いし、場合によっては直線方向に移動するものであってもよい。また上記スライド式電子部品Ａ１，Ａ２を構成する摺動型物８０，２８０のスライド移動方向は直線方向としたが、各種曲線方向にスライド移動するものであっても良い。また上記スライド式電子部品Ａ１，Ａ２の電気的機能部は摺動子１００，３００と摺接パターン３３，３５とによって構成したが、他の各種部材等によって構成しても良い。摺接パターン３３，３５はスイッチパターンであっても抵抗体パターンであっても良い。
【００６９】
また上記第１，第２電子部品１−１，１−２においては、化粧ケース５０とスライド式電子部品Ａ１，Ａ２の間に設置されて操作つまみ２１０，４１０と一体に移動する電子部品駆動体１７０，３７０に駆動軸１７７，３７７を設けたが、電子部品駆動体１７０，３７０を省略し、その代りに、操作つまみ２１０，４１０の下面から直接駆動軸を突出して設け、この駆動軸を摺動型物８０，２８０に設けた軸挿入溝８１，２８５に挿入してこの駆動軸によって摺動型物８０，２８０を移動させるように構成しても良い。また上記第１，第２電子部品１−１，１−２においては、軸挿入溝８１，２８５を、摺動型物８０，２８０のスライド移動方向Ａ，Ｄに直交する方向に延びるように設けたが、直交以外の各種角度で交叉する方向に延びるように設けても良い。
【図面の簡単な説明】
【００７０】
【図１】複合型電子部品５００を示す斜視図である。
【図２】第１，第２電子部品１−１，１−２の上側部分の部品を上側から見た分解斜視図である。
【図３】第１，第２電子部品１−１，１−２の下側部分の部品を上側から見た分解斜視図である。
【図４】第１，第２電子部品１−１，１−２の上側部分の部品を下側から見た分解斜視図である。
【図５】第１，第２電子部品１−１，１−２の下側部分の部品を下側から見た分解斜視図である。
【図６】化粧ケース５０を下側から見た斜視図（但し化粧ケース５０の外周側壁の下部を全周にわたって切り欠いている）である。
【図７】駆動軸１７７と軸挿入溝８１との係合状態を示す要部拡大斜視図である。
【図８】駆動軸３７７と軸挿入溝２８５との係合状態を示す要部拡大斜視図である。
【図９】電子部品１−３を上側から見た要部斜視図である。
【図１０】電子部品１−３の上側部分の部品を上側から見た分解斜視図である。
【図１１】電子部品１−３の下側部分の部品を上側から見た分解斜視図である。
【図１２】電子部品１−３の上側部分の部品を下側から見た分解斜視図である。
【図１３】電子部品１−３の下側部分の部品を下側から見た分解斜視図である。
【図１４】電子部品１−３の概略側面図である。
【図１５】第３電子部品１−３Ａ（その上側部分のみ）を示す概略断面斜視図である。
【図１６】板バネ９００の斜視図である。
【図１７】第３電子部品１−３Ｂを示す概略側面図である。
【図１８】弾性体９５０の斜視図である。
【符号の説明】
【００７１】
５００  複合型電子部品
１−１  第１電子部品（電子部品）
１−２  第２電子部品（電子部品）
１０  取付板（取付部材）
３０  フレキシブル回路基板（回路基板）
３３  摺接パターン（電気的機能部）
３５  摺接パターン（電気的機能部）
５０  化粧ケース（主ケース）
５３  挿通穴
５５  挿通穴
８０  摺動型物（移動体）
８１  軸挿入溝
１００  摺動子（電気的機能部）
１４０  収納ケース
１４１  開口
１７０  電子部品駆動体
１７７  駆動軸
１９０  スペーサ板（スペーサ部材）
２１０  操作つまみ（回転つまみ）
２８０  摺動型物（移動体）
２８３  溝形成用基部
２８５  軸挿入溝
３００  摺動子（電気的機能部）
３４０  収納ケース
３４９  開口部
３７０  電子部品駆動体
３７７  駆動軸
３９０  スペーサ板（スペーサ部材）
４１０  操作つまみ（回転つまみ）
Ａ１  スライド式電子部品
Ａ２  スライド式電子部品
【図１】
2009021406.tif 000003
【図２】
2009021406.tif 000004
【図３】
2009021406.tif 000005
【図４】
2009021406.tif 000006
【図５】
2009021406.tif 000007
【図６】
2009021406.tif 000008
【図７】
2009021406.tif 000009
【図８】
2009021406.tif 000010
【図９】
2009021406.tif 000011
【図１０】
2009021406.tif 000012
【図１１】
2009021406.tif 000013
【図１２】
2009021406.tif 000014
【図１３】
2009021406.tif 000015
【図１４】
2009021406.tif 000016
【図１５】
2009021406.tif 000017
【図１６】
2009021406.tif 000018
【図１７】
2009021406.tif 000019
【図１８】
2009021406.tif 000020